(57)【要約】【課題】動画再生装置において、動画コンテンツの早送り、及び早戻しを迅速に行い、また、動画コンテンツの早送り及び早戻しの操作の手間を軽減する。【解決手段】ハードディスクレコーダ（動画再生装置）の制御を行うことができるリモコンは、左右のいずれかに傾けながら決定ボタンを押下することにより動画コンテンツの早送り及び早戻しを指示するための選択ボタンを有する。ユーザが選択ボタンを左右いずれかに傾けながら決定ボタンを押下すると（Ｓ１）、リモコンにより選択ボタンの傾斜方向、及び傾斜角度に基づくアナログ信号が出力され（Ｓ２）、制御用マイコンがアナログ信号を受信する（Ｓ３）。制御用マイコンは、受信したアナログ信号をデジタル信号に変換し（Ｓ４）、デジタル信号の内容に応じて動画コンテンツの再生開始位置を算出し（Ｓ６）、算出された再生開始位置から動画コンテンツを再生する（Ｓ７）。【選択図】図７
2008011035.tif 000002
【特許請求の範囲】
【請求項１】
動画コンテンツを再生するための再生手段と、
ユーザにより前記動画コンテンツの再生指示などの操作を行うための操作手段と、
装置各部を制御する制御手段とを備えた動画再生装置において、
前記操作手段は、ユーザが操作することにより左右に傾けることが可能な傾斜入力手段と、ユーザにより傾けられた前記傾斜入力手段の傾斜方向と傾斜角度とを決定するための決定ボタンとを有し、
ユーザが前記傾斜入力手段を左右のいずれかに傾けながら前記決定ボタンを押下したときに、前記傾斜入力手段の傾斜方向と傾斜角度とに応じたアナログ信号を出力するアナログ信号出力手段と、
前記アナログ信号出力手段から出力された前記アナログ信号を受信するアナログ信号受信手段と、
前記アナログ信号受信手段により受信された前記アナログ信号をデジタル信号に変換するＡ／Ｄ変換手段と、
前記Ａ／Ｄ変換手段により変換されたデジタル信号の内容に基づいて前記傾斜入力手段の傾斜方向と傾斜角度とを算出する傾斜算出手段と、
前記傾斜算出手段により算出された傾斜方向と傾斜角度との内容に応じて前記動画コンテンツの再生開始ポイントを算出するポイント算出手段とをさらに備え、
前記制御手段は、前記ポイント算出手段により算出された前記動画コンテンツの再生開始ポイントから前記再生手段を用いて該動画コンテンツを再生することを特徴とする動画再生装置。
【請求項２】
動画コンテンツを再生するための再生手段と、
ユーザにより前記動画コンテンツの再生指示などの操作を行うための操作手段と、
装置各部を制御する制御手段とを備えた動画再生装置において、
前記操作手段は、ユーザが操作することにより２方向に傾けることが可能な傾斜入力手段を有し、
ユーザが前記傾斜入力手段を前記２方向のうちのいずれか１方向に傾けたときに、
前記傾斜入力手段の傾斜方向と傾斜角度に応じたアナログ信号を出力するアナログ信号出力手段と、
前記アナログ信号出力手段から出力されたアナログ信号をデジタル信号に変換するＡ／Ｄ変換手段と、
前記Ａ／Ｄ変換手段により変換されたデジタル信号の内容に基づいて前記傾斜入力手段の傾斜方向と傾斜角度とを算出する傾斜算出手段と、
前記傾斜算出手段により算出された傾斜方向と傾斜角度との内容に応じて前記動画コンテンツの再生開始ポイントを算出するポイント算出手段とをさらに備え、
前記制御手段は、前記ポイント算出手段により算出された前記動画コンテンツの再生開始ポイントから前記再生手段を用いて該動画コンテンツを再生することを特徴とする動画再生装置。
【請求項３】
前記操作手段は、ユーザにより傾けられた前記傾斜入力手段の傾斜方向と傾斜角度とを決定するための決定ボタンをさらに有し、
ユーザが前記傾斜入力手段を前記２方向のうちのいずれか１方向に傾けながら前記決定ボタンを押下したときに、前記アナログ信号出力手段がアナログ信号を出力することを特徴とする請求項２に記載の動画再生装置。
【発明の詳細な説明】
【技術分野】
【０００１】
本発明は、動画再生装置に関し、特に早送り、及び早戻しの操作に関する。
【背景技術】
【０００２】
従来から、動画コンテンツを再生する、例えば、ハードディスクレコーダ等の動画再生装置が知られている。ハードディスクレコーダは、記録媒体であるハードディスクを内蔵し、このハードディスクに記録された動画コンテンツの映像データ及び音声データを読み取り、映像信号及び音声信号としてテレビ等に送信する。
【０００３】
ハードディスクレコーダは、一般的に動画コンテンツの早送り及び早戻しを行う機能を有しており、ユーザがハードディスクレコーダの動作を制御するリモコン等に設けられた早送り又は早戻しボタン等を押下して動画コンテンツの再生開始ポイントを任意のポイントに移動させることにより早送り又は早戻しする。そのため、動画コンテンツを早送り、又は早戻しする場合、ユーザは早送り又は早戻しボタンを押下し続けることにより動画コンテンツの再生開始ポイントを目的のポイントまで移動させ、目的のポイントに到達したところで早送り又は早戻しボタンの押下をやめる等の操作を行う必要がある。従って、ハードディスクレコーダは動画コンテンツの早送り及び早戻しを迅速に行うことができない。また、ユーザは動画コンテンツの早送り及び早戻しを直感的に行うことができないので、操作に手間がかかる。
【０００４】
これに対して、特許文献１の発明は、押下げ式ボタンと、上下左右の４方向に押下可能な方向選択キーと、リングを横にした形状である回転式のジョグダイアルとからなる入力装置を備え、押下げ式ボタンが再生、停止、早送り、及び早戻しを指示する機能を有し、方向選択キーが音量変更を指示する機能を有し、ジョグダイアルがトラックの選択を指示する機能を有する情報処理装置である。
【０００５】
また、特許文献２の発明は、早送り再生ボタンや、早送りスピードを変化させるジョグダイアル等の操作入力部を備え、ジョグダイアルの回転角度に応じて、通常再生又は倍速再生を可能とする動画再生装置である。しかしながら、上記特許文献１及び２の発明では、上記の「早送り及び早戻しを迅速に行うことができない」という問題を解決することができない。
【０００６】
また、特許文献３の発明は、ジョイスティック状のレバーを上下左右に動かすことにより、動画の再生、早送り、及び早戻し等のすべての操作を行うことができる動画再生装置である。しかし、この特許文献３には、レバーを上下左右に動かすことにより早送り及び早戻し等を行う具体的な仕組みについて開示されていない。従って、上記特許文献３に記載された発明では、上記問題を解決することができない。
【特許文献１】特開２００３−１５８０９号公報
【特許文献２】特開２００２−１９９３４５号公報
【特許文献３】特開平０８−２３５６８０号公報
【発明の開示】
【発明が解決しようとする課題】
【０００７】
本発明は、上述した問題点を解決するためになされたものであり、動画コンテンツの早送り及び早戻しを迅速に行うことができ、また、動画コンテンツの早送り及び早戻しの際におけるユーザの操作の手間を軽減することができる動画再生装置を提供することを目的とする。
【課題を解決するための手段】
【０００８】
請求項１の発明は、動画コンテンツを再生するための再生手段と、ユーザにより前記動画コンテンツの再生指示などの操作を行うための操作手段と、装置各部を制御する制御手段とを備えた動画再生装置において、前記操作手段は、ユーザが操作することにより左右に傾けることが可能な傾斜入力手段と、ユーザにより傾けられた前記傾斜入力手段の傾斜方向と傾斜角度とを決定するための決定ボタンとを有し、ユーザが前記傾斜入力手段を左右のいずれかに傾けながら前記決定ボタンを押下したときに、前記傾斜入力手段の傾斜方向と傾斜角度とに応じたアナログ信号を出力するアナログ信号出力手段と、前記アナログ信号出力手段から出力された前記アナログ信号を受信するアナログ信号受信手段と、前記アナログ信号受信手段により受信された前記アナログ信号をデジタル信号に変換するＡ／Ｄ変換手段と、前記Ａ／Ｄ変換手段により変換されたデジタル信号の内容に基づいて前記傾斜入力手段の傾斜方向と傾斜角度とを算出する傾斜算出手段と、前記傾斜算出手段により算出された傾斜方向と傾斜角度との内容に応じて前記動画コンテンツの再生開始ポイントを算出するポイント算出手段とをさらに備え、前記制御手段は、前記ポイント算出手段により算出された前記動画コンテンツの再生開始ポイントから前記再生手段を用いて該動画コンテンツを再生するものである。
【０００９】
請求項２の発明は、動画コンテンツを再生するための再生手段と、ユーザにより前記動画コンテンツの再生指示などの操作を行うための操作手段と、装置各部を制御する制御手段とを備えた動画再生装置において、前記操作手段は、ユーザが操作することにより２方向に傾けることが可能な傾斜入力手段を有し、ユーザが前記傾斜入力手段を前記２方向のうちのいずれか１方向に傾けたときに、前記傾斜入力手段の傾斜方向と傾斜角度に応じたアナログ信号を出力するアナログ信号出力手段と、前記アナログ信号出力手段から出力されたアナログ信号をデジタル信号に変換するＡ／Ｄ変換手段と、前記Ａ／Ｄ変換手段により変換されたデジタル信号の内容に基づいて前記傾斜入力手段の傾斜方向と傾斜角度とを算出する傾斜算出手段と、前記傾斜算出手段により算出された傾斜方向と傾斜角度との内容に応じて前記動画コンテンツの再生開始ポイントを算出するポイント算出手段とをさらに備え、前記制御手段は、前記ポイント算出手段により算出された前記動画コンテンツの再生開始ポイントから前記再生手段を用いて該動画コンテンツを再生するものである。
【００１０】
請求項３の発明は、請求項２に記載の動画再生装置において、前記操作手段は、ユーザにより傾けられた前記傾斜入力手段の傾斜方向と傾斜角度とを決定するための決定ボタンをさらに有し、ユーザが前記傾斜入力手段を前記２方向のうちのいずれか１方向に傾けながら前記決定ボタンを押下したときに、前記アナログ信号出力手段がアナログ信号を出力するものである。
【発明の効果】
【００１１】
本発明によれば、傾けられた傾斜入力手段の傾斜方向と傾斜角度との内容に応じた動画コンテンツの再生開始ポイントから動画コンテンツを再生することができるので、動画コンテンツの早送り及び早戻しを迅速に行うことができ、また、動画コンテンツの早送り及び早戻しの際におけるユーザの操作の手間を軽減することができる。
【発明を実施するための最良の形態】
【００１２】
以下、本発明の第１の実施形態について、図面を参照して説明する。図１はリモコン（操作手段）により動画コンテンツの再生、早送り、及び早戻し等の操作を行うことができるハードディスクレコーダ２（動画再生装置）と、伝送ケーブル４を介してハードディスクレコーダ２に接続されるテレビ１とから構成される動画再生システムの外観を示し、図２はリモコン３の外観を示す。ハードディスクレコーダ２は再生した動画コンテンツに基づく映像信号及び音声信号をテレビ１に送信し、テレビ１はハードディスクレコーダ２から送信された映像信号をディスプレイ１１に表示すると共に、音声信号をスピーカ１２に出力する。なお、以下の説明において、図面の左側を「左」、右側を「右」という。
【００１３】
リモコン３は、ハードディスクレコーダ２に対して動画コンテンツの再生を指示するための再生ボタン３２と、左右のいずれかに傾けることにより動画コンテンツの早送り、及び早戻しを選択する選択ボタン３１（傾斜入力手段）と、選択ボタン３１を傾けながら押下することにより動画コンテンツの早送り、及び早戻しを指示するための決定ボタン３０と、その他の操作を指示するためのボタン３３と、選択ボタン３１の傾斜方向、及び傾斜角度に基づくアナログ信号を出力する出力部３４（アナログ信号出力手段）とを有する。ユーザは、選択ボタン３１を左に傾けながら決定ボタン３０を押下することにより動画コンテンツの再生開始位置（再生開始位置ポイント）を現在の再生位置よりも戻す（早戻し）指示を行い、右に傾けながら決定ボタン３０を押下することにより動画コンテンツの再生開始位置を現在の再生位置よりも進める（早送り）指示を行う。
【００１４】
次に、選択ボタン３１の構成について、図３、及び図４を参照して説明する。図３、及び図４は前出の図２に示したリモコン３のＡ−Ａ´線の側断面を示す。図３は傾けていない状態の選択ボタン３１を示す。図４の実線で示した選択ボタン３１ａは左に３０度傾けた状態を示し、図４の二点鎖線で示した選択ボタン３１ｂは右に３０度傾けた状態を示す。選択ボタン３１は、左右方向に揺動可能な揺動部３５を介してリモコン３と連結されており、図３に示した選択ボタン３１と揺動部３５とを一直線に結ぶ基準軸Ｃから左右対称にそれぞれ最大３０度ずつ傾けることができる。左に３０度傾いた状態の選択ボタン３１ａと揺動部３５とを結ぶ直線を基準軸Ｄ、右に３０度傾いた状態の選択ボタン３１ｂと揺動部３５とを結ぶ直線を基準軸Ｅとする。ユーザが選択ボタン３１を左右いずれかの方向に傾けながら決定ボタン３０（図２参照）を押下したとき、出力部３４が選択ボタン３１の傾斜方向と傾斜角度とを検出して、検出した内容に応じたアナログ信号を出力する。出力部３４により出力された傾斜方向、及び傾斜角度に基づくアナログ信号は、ハードディスクレコーダ２に出力される。
【００１５】
次に、リモコン３の出力部３４の構成について、図５を参照して説明する。出力部３４は、選択ボタン３１の傾斜方向及び傾斜角度の検出と、検出結果に基づくアナログ信号の出力とを行う検出制御部４１と、パルス電荷を出力する出力端子４２ａと、電流を入力する入力端子４２ｂとを備える。また、出力部３４は、抵抗４３、コンデンサ４４、及びアース４５と接続されている。検出制御部４１は、パルス電荷を送信するためのパルス発生器４１ａと、コンデンサ４４に蓄積された電荷が放電されるまでの時間をカウントする時間カウンタ器４１ｂと、時間カウンタ器４１ｂによりカウントされた結果に基づくアナログ信号を出力するアナログ信号出力部４１ｃとを有する。選択ボタン３１は、導線４６を介して抵抗４３と接続されており、導線４６と抵抗４３との接点を接点Ｓとする。導線４６は、抵抗４３と入力端子４２ｂとの間に接続されている。
【００１６】
抵抗４３は、出力端子４２ａと入力端子４２ｂとの間に接続されている。コンデンサ４４は、一端が入力端子４２ｂと導線４６の間に接続され、他端がアース４５に接続されている。
【００１７】
パルス発生器４１ａによって発生したパルス電荷は出力端子４２ａから出力され、抵抗４３と導線４６を介してコンデンサ４４に蓄積される。入力端子４２ｂはコンデンサ４４から放電された電荷を受け取り、時間カウンタ器４１ｂがコンデンサ４４の放電時間をカウントする。時間カウンタ器４１ｂによりカウントされた放電時間に基づくアナログ信号をアナログ信号出力部４１ｃが出力する。選択ボタン３１を左右に傾けると、接点Ｓの位置が変化するため抵抗４３の抵抗値が変化し、パルス電荷がコンデンサ４４に流れるときの電流値が変化し、コンデンサ４４から入力端子４２ｂへの放電時間が変化するので、この放電時間の値に基づいて、出力部３４は選択ボタン３１の傾斜方向及び傾斜角度に応じたアナログ信号をハードディスクレコーダ２に出力する。
【００１８】
次に、ハードディスクレコーダ２の内部構成について、図６を参照して説明する。ハードディスクレコーダ２は、動画コンテンツを記録するためのハードディスク２１（以下、ＨＤＤという）と、ＨＤＤ２１に対して動画コンテンツの読み込み、及び記録を行うアクセス部２２と、再生した動画コンテンツの映像信号及び音声信号を伝送ケーブル４に出力する出力部２６と、装置各部を制御する制御用マイコン２４（制御手段）とを備える。また、ハードディスクレコーダ２は、制御用マイコン２４の動作プログラムを格納するＲＯＭ２５と、リモコン３から出力された信号を受光し、制御用マイコン２４へ出力するリモコン信号受光部２３とをさらに備える。
【００１９】
制御用マイコン２４は、請求項に記載の再生手段、アナログ信号受信手段、Ａ／Ｄ変換手段、傾斜算出手段、及びポイント算出手段として機能する。また、制御用マイコン２４は、動画コンテンツの早送りの制御、及び動画コンテンツの早戻しの制御を行う。
【００２０】
次に、選択ボタン３１及び決定ボタン３０を操作することにより動画コンテンツの早戻し又は早送りを行うときの処理の手順について、図７を参照して説明する。まず、ユーザが選択ボタン３１を左右いずれかに傾けながら決定ボタン３０を押下すると（Ｓ１）、リモコン３の出力部３４により選択ボタン３１の傾斜方向及び傾斜角度に基づくアナログ信号が出力され（Ｓ２）、リモコン３から出力されたアナログ信号をリモコン信号受光部２３が受光し、制御用マイコン２４はリモコン信号受光部２３からアナログ信号を受信する（Ｓ３）。制御用マイコン２４は受信したアナログ信号をデジタル信号に変換し（Ｓ４）、変換したデジタル信号の内容に基づいて選択ボタン３１の傾斜方向と傾斜角度の値を算出し（Ｓ５）、この算出結果に応じて動画コンテンツの再生開始位置を算出し（Ｓ６）、算出された動画コンテンツの再生開始位置から動画コンテンツを再生する（Ｓ７）。なお、上記Ｓ６における処理の詳細については後述する。
【００２１】
次に、前出の図７に示した再生開始位置の算出処理について、図８及び図９を参照して説明する。動画コンテンツの再生開始位置は、動画コンテンツの再生経過位置（動画コンテンツの開始位置（図８中の“０分”の位置）と現在の再生位置との間の時間の長さ）と、残り時間の長さとをそれぞれ選択ボタン３１の傾斜角度で分割し、傾斜方向及び傾斜角度に応じて算出する。なお、ここではハードディスクレコーダ２が全６０分間の動画コンテンツを再生している場合において、現在の再生経過位置が１０分経過の時点であるときに、ユーザが選択ボタン３１及び決定ボタン３０を操作するものとする。
【００２２】
ユーザが選択ボタン３１を左に半分（３０度の半分の１５度）倒しながら決定ボタン３０を押下した場合、図８に示すように、再生経過位置の１０分に対して半分である５分の時点が再生開始位置となる。ユーザが選択ボタン３１を左にいっぱい（３０度）倒しながら決定ボタン３０を押下した場合、再生開始位置は０分の時点となる。
【００２３】
ユーザが選択ボタン３１を右に半分（３０度の半分の１５度）倒しながら決定ボタン３０を押下した場合、図９に示すように、残り時間５０分の半分である２５分と現在の再生経過位置である１０分との合計である３５分の時点が再生開始位置となる。ユーザが選択ボタン３１を右にいっぱい（３０度）倒しながら決定ボタン３０を押下した場合、再生開始位置は６０分の時点となる。
【００２４】
上記実施形態によれば、傾けられた選択ボタン３１の傾斜方向と傾斜角度との内容に応じた動画コンテンツの再生開始位置から動画コンテンツを再生することができるので、動画コンテンツの早送り及び早戻しを迅速に行うことができ、また、動画コンテンツの早送り及び早戻しの際におけるユーザの操作の手間を軽減することができる。
【００２５】
次に、本発明に係る第２の実施形態について、図面を参照して説明する。以下の説明において、図面の左側を「左」、右側を「右」、上側を「上」、下側を「下」という。図１０は、本実施形態に係るハードディスクレコーダ２の操作を行うことができるリモコン３の外観を示す。なお、本実施形態はリモコン３が上下左右に傾けることができる選択ボタン５１を有すること以外は、第１の実施形態に係るテレビ１、ハードディスクレコーダ２、及びリモコン３と同様であり、共通する部分については、その説明を省略する。
【００２６】
リモコン３の選択ボタン５１は、上下に傾けながら決定ボタン３０を押下することにより動画コンテンツの区切り（以下、チャプタという）内での再生位置の早送り又は早戻しを行うことができるものである。また、第１実施形態で示したリモコン３の選択ボタン３１と同様に選択ボタン５１を左右に傾けながら決定ボタン３０を押下することにより動画コンテンツの早送り及び早戻しを行うことができる。
【００２７】
選択ボタン５１を上下に操作することによりチャプタ内での再生位置の早送り又は早戻しを行うときの再生開始位置の算出処理は、第１の実施形態と同様に、選択ボタン５１の傾斜方向と傾斜角度に応じて算出される。なお、選択ボタン５１の傾斜方向と傾斜角度の検出、及び検出の手順は前出の図５、及び図７と同様である。
【００２８】
上記実施形態によれば、傾けられた選択ボタン５１の上下左右の傾斜方向及び傾斜角度の内容に応じた動画コンテンツの再生開始位置から動画コンテンツを再生することができるので、動画コンテンツの早送り及び早戻しを迅速に行うことができ、また、ユーザによる動画コンテンツの再生開始位置からの早送り及び早戻しの操作の手間を軽減することができる。
【００２９】
なお、上記各実施形態では、請求項における動画再生装置が、ハードディスクレコーダ２である場合の例について説明したが、これに限られず、動画再生装置が、ＤＶＤやＣＤなどの記録媒体に記録されている動画コンテンツを読み取って再生、早送り、又は早戻しを行うＤＶＤプレータ等であってもよい。
【００３０】
また、上記各実施形態では、動画コンテンツの早送り及び早戻しについて説明したが、これに限らず、映像を含まない音声コンテンツの早送り及び早戻しを行うものであってもよい。
【００３１】
また、上記各実施形態では、選択ボタン３１を左に傾けながら決定ボタン３０を押下することにより動画コンテンツの再生開始位置の早戻しの指示を行い、右に傾けながら決定ボタン３０を押下することにより動画コンテンツの再生開始位置の早送りの指示を行うものとしたが、これに限られず、早送り又は早戻しを行うための操作は、選択ボタン３１を任意の傾斜方向に傾斜させる操作のみであってもよい。
【００３２】
また、第２の実施形態では、選択ボタン５１を上下に傾けながら決定ボタン３０を押下することにより動画コンテンツのチャプタ内での再生開始位置の早送り又は早戻しを行うものとしたが、これに限られず、早送り又は早戻しを行うための操作は、選択ボタン５１を任意の傾斜方向に傾斜させる操作のみであってもよい。
【図面の簡単な説明】
【００３３】
【図１】本発明の第１の実施形態に係るハードディスクレコーダと、リモコンと、テレビとを含む動画再生システムの斜視図。
【図２】上記リモコンの外観を示す斜視図。
【図３】上記リモコンの図２のＡ−Ａ´線断面図。
【図４】上記リモコンの選択ボタンの動作を説明するための側断面図。
【図５】上記リモコンの選択ボタンの傾斜方向と傾斜角度を測定する回路を示す回路図。
【図６】上記ハードディスクレコーダの内部構成を示すブロック図。
【図７】上記リモコンを用いて早送り又は早戻しを行うときのハードディスクレコーダとリモコンの処理の手順を示すフロチャート。
【図８】上記リモコンを用いて早戻しを行ったときの動画コンテンツの再生位置の説明図。
【図９】上記リモコンを用いて早送りを行ったときの動画コンテンツの再生位置の説明図。
【図１０】本発明の第２の実施形態に係るリモコンの外観を示す斜視図。
【符号の説明】
【００３４】
２  ハードディスクレコーダ（動画再生装置）
３  リモコン（操作手段）
３０  決定ボタン
３１  選択ボタン（傾斜入力手段）
２４  制御用マイコン（制御手段、アナログ信号受信手段、Ａ／Ｄ変換手段、傾斜算出手段、ポイント算出手段）
３４  出力部（アナログ出力手段）
５１  選択ボタン（傾斜入力手段）
【図１】
2008011035.tif 000003
【図２】
2008011035.tif 000004
【図３】
2008011035.tif 000005
【図４】
2008011035.tif 000006
【図５】
2008011035.tif 000007
【図６】
2008011035.tif 000008
【図７】
2008011035.tif 000009
【図８】
2008011035.tif 000010
【図９】
2008011035.tif 000011
【図１０】
2008011035.tif 000012